(57)【要約】【課題】接続端子同士の接続作業を容易に行なえるようにするとともに、ボルト及びナットを誤って落下させるのを防止できるようにする。【解決手段】コイル２から機器の外部に電力を取り出すためのブッシング５を設けるとともに、コイル２とブッシング５とを接続するためのリード線６を備え、ブッシング５に固定された接続端子７に切込溝７ａを設け、リード線２の端部に設けられた接続端子８にボルト９及びナット１０を仮固定し、このボルト９のねじ部を切込溝７ａに挿入し、ナット１０で締め付けることによりブッシング５側の接続端子７とリード線２側の接続端子８を接続する。【選択図】          図５
2004265976.tif 000002
【特許請求の範囲】
【請求項１】
コイルから機器の外部に電力を取り出すためのブッシングを設けるとともに、上記コイルと上記ブッシングとを接続するためのリード線を備えた電気機器において、上記ブッシングに固定された接続端子に切込溝を設け、上記リード線の端部に設けられた接続端子にボルトを取付け、このボルトを上記切込溝に挿入し、ナットで締め付けることにより両接続端子を接続したことを特徴とする電気機器。
【請求項２】
上記切込溝をＬ字形状に形成したことを特徴とする請求項１記載の電気機器。
【請求項３】
上記切込溝を複数設けたことを特徴とする請求項１又は請求項２記載の電気機器。
【発明の詳細な説明】
【０００１】
【発明の属する技術分野】
この発明は、電気機器の接続端子に関するものであり、例えば電力用変圧器の巻線口出し部から引き出すリード線とブッシングとを接続するための接続端子に関するものである。
【０００２】
【従来の技術】
従来リード線により、コイルとブッシングを互いに接続する際、ブッシングに固定された接続端子と、リード線の端部に設けられた接続端子を接続する為に、ボルト及びナットにより、締め付けて接続していた。
即ち、シールドを固定したブッシングの接続端子に設けられた中空穴に、リード線端部に設けられた接続端子の中空穴の位置をあわせ、ボルトをこれら接続端子の中空穴に挿入し、ナットによって締め付けるものである。
【０００３】
この時、ボルトとナットは手につかんだ状態で、目視確認が困難なシールド内に手を入れて挿入作業をしなければならず、誤ってボルトやナットを電気機器、例えば電力用変圧器のタンク内部やコイルの上等に落としてしまい、思わぬ事故になるおそれがある。
【０００４】
又、ロッドの先端にワッシャ及びナットの脱落を防止するための脱落防止座を取り付けるとともに、端子板にロッドにはめこむ切込溝を形成したものもある（例えば、特許文献１参照）。
【０００５】
【特許文献１】
特開昭５２−０８５３８５号公報（第３頁，第２図，第３図，第４図，第５図，第６図）
【０００６】
【発明が解決しようとする課題】
従来の電気機器の接続端子は以上のように構成されていたので、予めブッシングに固定された接続端子にボルトを挿入する場合、電気機器、例えば電力用変圧器のタンク内部やコイルの上等にボルトを落としてしまい、思わぬ事故になるという問題点があった。
又、接続端子に挿入したボルトにナットを取り付ける場合、電気機器、例えば電力用変圧器のタンク内部やコイルの上等にナットを落としてしまい、思わぬ事故になるという問題点があった。
【０００７】
又、予めブッシングに固定された接続端子と、予めリード線に固定された接続端子にボルトを挿入する場合、接続端子の中空穴同士をあわせる作業が困難であるという問題点もあった。
又、高電圧ブッシングにはシールドが取り付けられているので、シールド内が狭く、予めブッシングに固定された接続端子の中空穴にボルトを挿入する作業、及び締め付ける作業が困難であるという問題点もあった。
更には、高電圧ブッシングにはシールドが取り付けられているので、シールド内が狭く、予めブッシングに固定された接続端子と、予めリード線に固定された接続端子に、ボルトを挿入する場合、接続端子の中空穴同士をあわせる作業時において、目視確認ができないという問題点もあった。
【０００８】
又、上記特許文献１においては、ブッシングとリード線の接続は、ブッシング側に脱落防止座を設けた構造となっており、ブッシング側に特殊な加工を必要とし、またリード側の接続端子に特殊な形状を施さねばならず、部品点数が多くなり高価となるという問題点があった。
更に、ブッシングとリード線の接続部は接触面積が少ないために、大電流で使用できず、使用範囲は小電流に限られているという問題点もあった。
【０００９】
この発明は、上記のような課題を解決するためになされたもので、ブッシングとリード線の接続端子同士の接続作業が容易となり、接続作業時間が短縮できるとともに、ブッシングとリード線の接続端子同士の接続作業時における、ボルト、ナット等の落下事故の可能性が低く、更にブッシングとリード線の接続端子部の構造が簡素で、接触面積も大きく、かつ安価に製造できる接続部を提供することを目的とする。
【００１０】
【課題を解決するための手段】
この発明の請求項１に係る電気機器は、コイルから機器の外部に電力を取り出すためのブッシングを設けるとともに、コイルとブッシングとを接続するためのリード線を備えたものであって、ブッシングに固定された接続端子に切込溝を設け、リード線の端部に設けられた接続端子にボルトを取付け、このボルトを切込溝に挿入し、ナットで締め付けることにより両接続端子を接続したものである。
【００１１】
【発明の実施の形態】
実施の形態１．
以下、この発明の一実施形態を図に基づいて説明する。
図１はこの発明の実施の形態１による電力用変圧器を示す正面図であり、図において、変圧器の外箱１内にはコイル２が収められ、鉄心３はコイル２の周りに積み重ねられるとともに、変圧器の外箱１に固定される。
絶縁油４はコイル２及び鉄心３を冷却し、更にはこれらを絶縁するものであり、変圧器の外箱１内に収容されている。
ブッシング５はコイル２から変圧器の外箱１の外部に電力を取り出すもので、変圧器の外箱１に取り付けられている。
又、リード線６はコイル２とブッシング５を互いに接続するものである。
【００１２】
図２は図１におけるＡ部を示す拡大正面図、図３は同じく側面図であり、ブッシング５に固定された板状の接続端子７に、リード線６の端部に設けられた板状の接続端子８を接続する為に、ボルト９とナット１０によって両者を締め付けている。
図４は締め付ける前の状態の接続端子７部を示す正面図であり、接続端子７にはＵ字形状の切込溝７ａを設けている。
【００１３】
接続端子７にリード線６の端部に設けられた接続端子８を接続するには、図５に示すように、あらかじめリード線６の端部に設けられた接続端子８にボルト９を挿入して、ナット１０を仮固定しておき、ボルト９のネジ部を接続端子７のＵ字形状の切込溝７ａに挿入し、その後ナット１０を締め付けて固定する。
【００１４】
この様に本発明によれば、接続端子８にあらかじめボルト９を挿入するとともに、ナット１０を仮固定することにより、シールド１１内に手を入れて接続端子７，８及びボルト９を挿入する作業を省略することができ、接続作業がし易くなると共に、ボルト９及びナット１０を誤って落下させる可能性がきわめて少なくなる。
【００１５】
図６は他の形態による接続端子部を示す正面図であり、図において、ブッシング５は地面に対して水平になるように設けられており、更に外箱１に固定される場合を示している。
この場合には、接続端子７に設けられたＵ字形状の切込溝７ａも地面に対して水平方向に設けられることとなり、あらかじめボルト９を挿入してナット１０を仮固定した接続端子８を、接続端子７に設けられたＵ字形状の切込溝７ａへ挿入する作業が非常に容易となる。
【００１６】
実施の形態２．
図７はこの発明の形態２による接続端子部を示す正面図であり、本実施形態においては、Ｌ字形状の切込溝を設けたものである。
即ち切込溝を水平部分７ｂ及び垂直部分７ｃにより構成することにより、締め付け作業前にボルト９を垂直部分７ｃに落とし込むことができ、リード線６の荷重を一時的にブッシング５にあずけることができるので、締付作業が容易となる。
また、ボルト９，ナット１０の締め付け不足等によるリード線６側の接続端子８のズレ落ちが防止できる。
【００１７】
又、図８に示すようなＬ字形状の切込溝７ｄを設けてもよい。
又、図９に示すように、傾斜部分７ｅ及び垂直部分７ｆからなる切込溝を設けてもよい。
これにより、ボルト９が容易に切込溝に入り込むことができるようになる。
更には図１０に示すように、上向きの傾斜部分を有する切込溝７ｇを設けてもよい。
【００１８】
実施の形態３．
図１１はこの発明の実施の形態３による接続端子部を示す正面図であり、水平方向の切込溝７ｈを２個設けたものである。
尚、図１１では２個設けた例を示したが、３個以上の複数個であってもよい。
このように複数の切込溝を設けることにより、複数の接続端子８及び複数のボルト９の固定ができる。
又、図１２に示すように、Ｌ字形状の切込溝を複数設けるようにしてもよい。
【００１９】
又、図１３，図１４に示すように、接続端子７の両側面にそれぞれ切込溝又はＬ字形状の切込溝を設けるようにしてもよい。
このように構成することにより、複数の接続端子８及び複数のボルト９が取り付けやすくなる。
更に、図１５，図１６に示すように、接続端子７の両側面にそれぞれ複数の切込溝又はＬ字形状の切込溝を設けるようにしてもよい。
又、図１７に示すように、接続端子７の下面側に複数の切込溝を設けるようにしてもよい。
【００２０】
上記実施の形態１〜３においては、電力用変圧器を例にとり説明したが、他の電気機器にも応用することができる。例えば、開閉器、配電盤の接続部に使用することもできる。
【００２１】
【発明の効果】
コイルから機器の外部に電力を取り出すためのブッシングを設けるとともに、コイルとブッシングとを接続するためのリード線を備えたものであって、ブッシングに固定された接続端子に切込溝を設け、リード線の端部に設けられた接続端子にボルトを取付け、このボルトを切込溝に挿入し、ナットで締め付けることにより両接続端子を接続したので、シールド内に手を入れて接続端子及びボルトを挿入する作業を省略することができ、接続作業がし易くなるとともに、ボルト及びナットを誤って落下させる可能性がきわめて少なくなる。
【図面の簡単な説明】
【図１】この発明の実施の形態１による電力用変圧器を示す正面図である。
【図２】図１のＡ部を示す拡大正面図である。
【図３】図１のＡ部を示す拡大側面図である。
【図４】図１のＡ部を示す拡大正面図である。
【図５】接続端子部を示す部分正面図及び部分斜視図である。
【図６】接続端子部を示す拡大正面図である。
【図７】この発明の実施の形態２による接続端子部を示す正面図である。
【図８】この発明の実施の形態２による接続端子部を示す正面図である。
【図９】この発明の実施の形態２による接続端子部を示す正面図である。
【図１０】この発明の実施の形態２による接続端子部を示す正面図である。
【図１１】この発明の実施の形態３による接続端子部を示す正面図である。
【図１２】この発明の実施の形態３による接続端子部を示す正面図である。
【図１３】この発明の実施の形態３による接続端子部を示す正面図である。
【図１４】この発明の実施の形態３による接続端子部を示す正面図である。
【図１５】この発明の実施の形態３による接続端子部を示す正面図である。
【図１６】この発明の実施の形態３による接続端子部を示す正面図である。
【図１７】この発明の実施の形態３による接続端子部を示す正面図である。
【符号の説明】
２  コイル、５  ブッシング、６  リード線、７，８  接続端子、７ａ  切込溝、９  ボルト、１０  ナット。
【図１】
2004265976.tif 000003
【図２】
2004265976.tif 000004
【図３】
2004265976.tif 000005
【図４】
2004265976.tif 000006
【図５】
2004265976.tif 000007
【図６】
2004265976.tif 000008
【図７】
2004265976.tif 000009
【図８】
2004265976.tif 000010
【図９】
2004265976.tif 000011
【図１０】
2004265976.tif 000012
【図１１】
2004265976.tif 000013
【図１２】
2004265976.tif 000014
【図１３】
2004265976.tif 000015
【図１４】
2004265976.tif 000016
【図１５】
2004265976.tif 000017
【図１６】
2004265976.tif 000018
【図１７】
2004265976.tif 000019